(57)【要約】  ＵＳＢリムーバブルドライブ機器（２００）が接続されるＵＳＢインタフェース（１０２）と、ＵＳＢリムーバブルドライブ機器（２００）に固有のＵＳＢリムーバブルドライブ機器固有情報（２１０ｂ）と、ＵＳＢリムーバブルドライブ機器（２００）とドライブ番号との対応を示すドライブ割付固定化設定情報（１６０）を記憶し、プログラマブル表示器（１００）に内蔵される不揮発性メモリ（１０１）と、ＵＳＢインタフェース（１０２）に接続されたＵＳＢリムーバブルドライブ機器（２００）から取得したＵＳＢリムーバブルドライブ機器固有情報（２１０）と一致する情報が、不揮発性メモリ（１０１）に記憶したドライブ割付情報（１５０）に含まれる場合に、ドライブ割付情報（１５０）によって対応付けられているドライブ番号を、ＵＳＢインタフェース（１０２）に接続されたＵＳＢリムーバブルドライブ機器（２００）に割り付ける制御部（１０５）とを備える。
2013018227.tif 000002
【特許請求の範囲】
【請求項１】
外部記憶媒体を読み書きするＵＳＢリムーバブルドライブ機器を複数接続可能であり、接続された前記ＵＳＢリムーバブルドライブ機器にドライブ番号を割り付けて管理する電子機器であって、
前記ＵＳＢリムーバブルドライブ機器が接続されるＵＳＢインタフェースと、
前記ＵＳＢリムーバブルドライブ機器に固有のＵＳＢリムーバブルドライブ機器固有情報と、前記ＵＳＢリムーバブルドライブ機器と前記ドライブ番号との対応を示すドライブ割付情報を記憶し、前記電子機器に内蔵される不揮発性メモリと、
前記ＵＳＢインタフェースに接続された前記ＵＳＢリムーバブルドライブ機器から取得した前記ＵＳＢリムーバブルドライブ機器固有情報と一致する情報が、前記不揮発性メモリに記憶した前記ドライブ割付情報に含まれる場合に、該ドライブ割付情報によって対応付けられている前記ドライブ番号を、前記ＵＳＢインタフェースに接続された前記ＵＳＢリムーバブルドライブ機器に割り付ける制御部と、
を備えることを特徴とする電子機器。
【請求項２】
前記不揮発性メモリは、前記ドライブ番号の各々について特定の前記ＵＳＢリムーバブルドライブ機器に固定的に割り付けるか否かを示すドライブ割付固定化設定情報をさらに記憶し、
前記制御部は、前記特定のＵＳＢリムーバブルドライブ機器に割り付けない設定が前記ドライブ割付固定化設定情報によってなされている前記ドライブ番号を、前記特定のＵＳＢリムーバブルドライブ機器以外のＵＳＢリムーバブルドライブ機器に前記ＵＳＢインタフェースに接続された順に割り付けることを特徴とする請求項１に記載の電子機器。
【請求項３】
前記制御部は、前記ドライブ割付固定化設定情報を変更するドライブ割付固定化設定情報編集部を有することを特徴とする請求項２に記載の電子機器。
【請求項４】
前記制御部は、
前記ドライブ割付情報によって前記特定のＵＳＢリムーバブルドライブ機器に対応付けられている前記ドライブ番号を、別のドライブ番号に変更するドライブ割付変更部と、前記ドライブ割付情報による前記特定のＵＳＢリムーバブルドライブ機器と前記ドライブ番号との対応付けを解除するドライブ割付解除部と、を有するドライブ割付情報編集部を備えることを特徴とする請求項２に記載の電子機器。
【請求項５】
外部制御機器との接続用の通信インタフェースと、
前記通信インタフェースを介して接続された前記外部制御機器の動作状態の表示及び該外部制御機器の設定操作の受付をするタッチパネル付き表示画面と、を備えたプログラマブル表示器であることを特徴とする請求項１から４のいずれか１項に記載の電子機器。
【発明の詳細な説明】
【技術分野】
【０００１】
本発明は、ＵＳＢ（Universal  Serial  Bus）インタフェースに装着する着脱可能な記憶媒体であるリムーバブルドライブ機器が装着可能なパーソナルコンピュータやプログラマブル表示器等の電子機器に関する。
【背景技術】
【０００２】
省スペースを配慮したパーソナルコンピュータやノート型パーソナルコンピュータへの周辺機器の増設に、汎用的な規格であるＵＳＢに準拠した機器を用いる事例が増えている。特に、データの持ち運びの利便性の観点から、ＵＳＢに準拠したリムーバブルドライブ（着脱可能な外部記憶媒体）の利用が普及している。この傾向は、パーソナルコンピュータに限定されず、近年ではタッチパネル型表示・操作装置であるプログラマブル表示器をはじめ、産業用機器でも普及の度合いが高まっている。【０００３】
通常、パーソナルコンピュータなどの電子機器に接続されたリムーバブルドライブ機器は、ドライブ番号が割り付けられた上で接続対象の電子機器によって管理される。例えば、リムーバブルドライブ機器をその接続対象のパーソナルコンピュータ等の機器に装着した場合、未使用のドライブ番号（実際には数値ではなく、Ａ、Ｂ、Ｃといったアルファベットであることが多い）のうち、最も若い番号から順にドライブ番号が割り付けられるのが一般的である。また、パーソナルコンピュータの汎用的なオペレーティングシステムにおいては、装着済みのリムーバブルドライブに対するドライブ番号の再割付が可能となっており、かつドライブ番号を割り付けたリムーバブルドライブは、取り外し、再度取り付けた際には前回指定したドライブ番号が自動的に割り付けられる機能を実現している。【０００４】
ドライブ番号の割付に関しては、リムーバブルドライブ機器に装着したメモリカードやＵＳＢメモリのような外部記憶媒体（以下、リムーバブルデバイスという。）自体にドライブ番号を特定するための情報を持たせることで、装着したリムーバブルデバイスに対して割り付けるドライブ番号を固定化する方法が提案されている（特許文献１）。【０００５】
また、組み込み機器の接続ポート（インタフェース）ごとに対応するドライブ番号を割り付けることで、その接続ポートに接続されるリムーバブルドライブのドライブ番号を固定化する方法が提案されている（特許文献２）。
【先行技術文献】
【特許文献】
【０００６】
【特許文献１】特開２０１０−１９８１１２号公報
【特許文献２】特開２００７−５２７２７号公報
【発明の概要】
【発明が解決しようとする課題】
【０００７】
しかしながら、パーソナルコンピュータなど、リムーバブルドライブに対応する従来の機器では、過去にドライブ番号を割り付けたリムーバブルドライブ機器以外のリムーバブルドライブ機器を装着した場合には、未使用のドライブ番号が若番から割り付けられる。結果、過去にドライブ番号を割り付けたリムーバブルドライブ機器を再装着した時点で、以前にそのリムーバブルドライブ機器を割り付けたドライブ番号が使用済みの場合には、結局、未使用のドライブ番号を割り付けることになる。結果として、装着するリムーバブルドライブ機器が複数台ある場合において、機器にリムーバブルドライブ機器を装着した順によってドライブを特定するためのドライブ番号が変化するという問題がある。【０００８】
上記の問題点は、操作者がファイルのコピーなどの操作対象とするドライブをＧＵＩ（Graphical  User  Interface）から選択するパーソナルコンピュータのような機器の場合には問題とはなりにくい。【０００９】
一方で、生産装置等、その挙動をあらかじめ作り込んでおき、操作者による操作を極力限定する機器においては、以下に示す問題がある。ここでは具体例として、表示画面とタッチパネルとを有し、装置の状態表示や操作を行うプログラマブル表示器を例として考える。【００１０】
プログラマブル表示器は、通信インタフェースを有し、その通信インタフェースを通じてプログラマブルロジックコントローラ（Programmable  Logic  Controller：ＰＬＣ）等の外部制御機器と通信し、外部制御機器のデバイスメモリの値をモニタしたり、外部制御機器のデバイスメモリの値を変更したりすることで、装置の状態の監視や装置の操作を可能とする装置である。また、プログラマブル表示器は、外部制御機器のデバイスメモリを定期的に監視し、あらかじめ定めた条件が成立した際にそれをイベントとして捉え、イベントに対応したメッセージを時系列的に記録するアラーム機能や、周期的、あるいはイベント成立時に、外部制御機器の一連のデバイスメモリから値を取得し、時系列的にファイルに記録するロギング機能といった、時系列データの収集機能を有する（以下、こうした時系列データを「ログデータ」と言う。）。プログラマブル表示器に表示する画面や各種機能の設定は、パーソナルコンピュータ上で動作するアプリケーションである作画ソフトウェアにより実施する。【００１１】
ログデータは、装置の稼働履歴を把握する上で重要な情報のため、停電保持のためにメモリカード等の外部記憶媒体に保管することが一般的である。このため、プログラマブル表示器は外部記憶媒体を装着するためのドライブを有する。一方、外部記憶媒体に収集したログデータは、取り出してパーソナルコンピュータ等のシステムで閲覧、分析する用途が増加している。【００１２】
こうした中、プログラマブル表示器内でのログデータの管理のための外部記憶媒体とは別に、必要に応じてログデータを取り出すためにリムーバブルドライブをプログラマブル表示器に装着し、リムーバブルドライブに装着したメモリカード等の別の外部記憶媒体にログデータをコピーするという用途が想定される。このとき、コピー対象のファイルを一覧から操作するのではなく、プログラマブル表示器の画面内に設けたボタン操作により、ワンタッチで必要なファイルをコピーする機能が、現場での操作者の作業時間短縮や、誤操作防止の観点から必要とされる。【００１３】
この場合には、作画ソフトウェアにて、ファイルコピー操作を行う機能に対し、コピー元のログファイルと、コピー先のドライブ番号とを特定しておく必要がある。このため、リムーバブルドライブに対してドライブ番号が固定できないことは、システム設計上大きな問題となる。つまり、ここに挙げた事例の解決には、いかにしてリムーバブルドライブやリムーバブルデバイスのドライブ番号を固定するかが課題となる。【００１４】
この問題に対処すべく提案された特許文献１に示された構成を持つ機器では、リムーバブルデバイスに対しドライブ番号の割付情報を保持することで、同一のリムーバブルデバイスに対して固定したドライブ番号を割り付ける仕組みを提供しているが、例えばリムーバブルデバイスの一種であるメモリカードを装着するメモリカードドライブのように、それ自体が書き換え可能な記憶領域を持たないリムーバブルドライブ機器の装着を考えたとき、そのドライブ番号を固定化することができないという問題がある。【００１５】
また、この方法は、リムーバブルデバイスごとにドライブ番号を固定する方法であるため、例えば、プログラマブル表示器が収集したログデータのバックアップ用のリムーバブルデバイスというように用途を固定した場合には、問題になり得ないケースもあり得る。しかしながら、実際の用途においてはこうしたデータバックアップ用のリムーバブルデバイスには複数かつ任意のリムーバブルデバイスを用いることが一般的であり、あらかじめドライブ番号が固定化されていないことが想定される。このため、リムーバブルデバイスではなくリムーバブルドライブ機器のドライブ番号を固定化することが望ましいと考えられる。【００１６】
一方、特許文献２に示された構成を持つ機器では、接続ポート（インタフェース）ごとに対応するドライブ番号を割り付けることで、その接続ポートに接続されるリムーバブルドライブ機器のドライブ番号を固定化することが可能だが、ＵＳＢによるリムーバブルドライブ機器を想定した場合、ＵＳＢの接続ポートを多重化するＵＳＢハブを経由することを考慮する必要がある。ＵＳＢハブにより増設した接続ポートを特定することは一般的に困難であるため、特許文献２に提案された方法では、接続ポートを特定できず、結果的にドライブ番号の固定割付ができないという問題がある。【００１７】
本発明は、上記に鑑みてなされたものであって、物理的な接続ポートが固定的に特定できないＵＳＢハブを経由した場合にも、そこに接続したＵＳＢリムーバブルドライブ機器のドライブ番号を固定的に割り付け可能な電子機器を得ることを目的とする。
【課題を解決するための手段】
【００１８】
上述した課題を解決し、目的を達成するために、本発明は、外部記憶媒体を読み書きするＵＳＢリムーバブルドライブ機器を複数接続可能であり、接続されたＵＳＢリムーバブルドライブ機器にドライブ番号を割り付けて管理する電子機器であって、ＵＳＢリムーバブルドライブ機器が接続されるＵＳＢインタフェースと、ＵＳＢリムーバブルドライブ機器に固有のＵＳＢリムーバブルドライブ機器固有情報と、ＵＳＢリムーバブルドライブ機器とドライブ番号との対応を示すドライブ割付情報を記憶し、電子機器に内蔵される不揮発性メモリと、ＵＳＢインタフェースに接続されたＵＳＢリムーバブルドライブ機器から取得したＵＳＢリムーバブルドライブ機器固有情報と一致する情報が、不揮発性メモリに記憶したドライブ割付情報に含まれる場合に、ドライブ割付情報によって対応付けられているドライブ番号を、ＵＳＢインタフェースに接続されたＵＳＢリムーバブルドライブ機器に割り付ける制御部と、を備えることを特徴とする。
【発明の効果】
【００１９】
本発明にかかる電子機器は、物理的な接続ポートが固定的に特定できないＵＳＢハブを経由した場合にも、そこに接続したＵＳＢリムーバブルドライブ機器のドライブ番号を固定的に割り付けることができ、あらかじめドライブ番号を固定したシステム設計が可能となるという効果を奏する。
【図面の簡単な説明】
【００２０】
【図１】図１は、本発明にかかる電子機器の実施の形態１としてのプログラマブル表示器の構成例を示すブロック図である。
【図２】図２は、プログラマブル表示器のＵＳＢインタフェースに、ＵＳＢリムーバブルドライブ機器を装着した際の処理手順を示す図である。
【図３】図３は、本発明にかかる電子機器の実施の形態２としてのプログラマブル表示器の構成例を示すブロック図である。
【図４】図４は、プログラマブル表示器において、ドライブ割付情報及びドライブ割付固定化設定情報を編集するドライブ管理画面の構成を示す図である。
【図５】図５は、ドライブ割付情報に割り付け済のＵＳＢリムーバブルドライブ機器固有情報を解除する手順を示す図である。
【図６】図６は、プログラマブル表示器に装着済のＵＳＢリムーバブルドライブ機器に割り付けたドライブ番号を、別のドライブ番号に変更する際の処理の流れを示す図である。
【図７】図７は、ドライブ割付固定化設定情報の変更時の処理の流れを示す図である。
【発明を実施するための形態】
【００２１】
以下に、本発明にかかる電子機器の実施の形態を図面に基づいて詳細に説明する。なお、この実施の形態によりこの発明が限定されるものではない。
【００２２】
実施の形態１．
図１は、本発明にかかる電子機器の実施の形態１としてのプログラマブル表示器の構成例を示すブロック図である。プログラマブル表示器１００は、不揮発性メモリ１０１、ＵＳＢインタフェース１０２、通信インタフェース１０３、タッチパネル付き表示画面１０４及び制御部１０５を備えている。
【００２３】
ＵＳＢインタフェース１０２には、ＵＳＢリムーバブルドライブ機器２００やＵＳＢハブ３００を装着可能である。また、ＵＳＢハブ３００に具備されたＵＳＢインタフェース３１０に装着したＵＳＢリムーバブルドライブ機器２００も、プログラマブル表示器１００からアクセス可能である。通信インタフェース１０３は、プログラマブルロジックコントローラ等の外部制御機器５００との通信を行うためのインタフェースである。また、プログラマブル表示器１００はタッチパネル付き表示画面１０４を備え、情報の表示及び画面のタッチによる操作入力を可能としている。
【００２４】
不揮発性メモリ１０１は、ＵＳＢリムーバブルドライブ機器２００に固有の情報であるＵＳＢリムーバブルドライブ機器固有情報２１０と、ＵＳＢリムーバブルドライブ機器固有情報２１０に割り付けるドライブ番号とを対応付けるドライブ割付情報１５０を記憶する。なお、ドライブ割付情報１５０内に記録するＵＳＢリムーバブル機器固有情報は便宜上符号２１０ｂを付しているが、情報としてはＵＳＢリムーバブルドライブ機器２００が持つ同情報（ＵＳＢリムーバブルドライブ機器固有情報２１０）と同等であるとする。ＵＳＢリムーバブルドライブ機器固有情報２１０には、機器のメーカを特定するベンダＩＤと、機器の製品形式を特定するプロダクトＩＤと、機器の個体を特定するシリアル番号とを持つ。なお、ＵＳＢリムーバブルドライブ機器によっては、シリアル番号を持たない製品も存在する。
【００２５】
さらに、不揮発性メモリ１０１は、個々のドライブ番号に対してＵＳＢリムーバブルドライブ機器２００を固定的に割り付けるか、任意のＵＳＢリムーバブルドライブ機器２００を割り付け可能とするかを管理するドライブ割付固定化設定情報１６０を記憶する。不揮発性メモリ１０１は、プログラマブル表示器１００に固定的に実装され、プログラマブル表示器１００に内蔵される記憶装置である。
【００２６】
制御部１０５は、プログラマブル表示器１００の制御を行うプログラムを解釈し、データの処理や操作に対する応答、画像表示の制御を行う中央処理装置（ＣＰＵ）と、プログラムの実行時の作業領域として用いられる揮発性メモリ（ＲＡＭ）とを有する。
【００２７】
なお、ここではプログラマブル表示器１００の構成は、一般的なタッチパネル式の表示器を示しているが、操作入力方法をタッチパネルに限定するものではなく、キーボードやマウス等の入力装置を持つものでも良い。また、通信インタフェース１０３を介して外部制御機器５００と通信する構成としているが、必ずしも外部制御機器５００と通信する必要はない。
【００２８】
また、ここではプログラマブル表示器を例としているが、ＵＳＢインタフェースと不揮発性メモリとを有するのであれば、どのような構成の機器であっても良い。
【００２９】
図２は、プログラマブル表示器１００のＵＳＢインタフェース１０２に、ＵＳＢリムーバブルドライブ機器２００を装着した際の処理手順を示す図である。まず、制御部１０５は、割付可能なドライブ番号の有無を確認する（ステップＳ００１）。割付可能なドライブ番号が無い場合には（ステップＳ００１／Ｎｏ）、制御部１０５は、ドライブ番号の割り付けが不可能な旨をタッチパネル付き表示画面１０４に表示して操作者に通知し（ステップＳ０１０）、装着したＵＳＢリムーバブルドライブ機器２００は無効とする（ステップＳ０１１）。
【００３０】
割り付け可能なドライブ番号がある場合（ステップＳ００１／Ｙｅｓ）、制御部１０５は、ＵＳＢリムーバブルドライブ機器２００が有するＵＳＢリムーバブルドライブ機器固有情報２１０を読み出す（ステップＳ００２）。制御部１０５は、ＵＳＢリムーバブルドライブ機器２００から読み出したＵＳＢリムーバブルドライブ機器固有情報２１０と、ドライブ割付情報１５０に保持しているＵＳＢリムーバブルドライブ機器固有情報２１０ｂとを比較する（ステップＳ００３）。ドライブ割付情報１５０に保持しているＵＳＢリムーバブルドライブ機器固有情報２１０ｂの中に、ＵＳＢリムーバブルドライブ機器２００から読み出したＵＳＢリムーバブルドライブ機器固有情報２１０と内容が一致するものがある場合には（ステップＳ００３／Ｙｅｓ）、そのＵＳＢリムーバブルドライブ機器２００に割り付けられたドライブ番号が未使用か否かを確認する（ステップＳ００４）。ドライブ番号が割付可能（換言すると、ＵＳＢインタフェース１０２に装着されたＵＳＢリムーバブルドライブ機器に割り付けられたドライブ番号が未使用）な場合は（ステップＳ００４／Ｙｅｓ）、制御部１０５はＵＳＢインタフェース１０２に装着されたＵＳＢリムーバブルドライブ機器２００に対応したドライブ番号を割り付ける（ステップＳ００５）。その後、処理を終了する。
【００３１】
ＵＳＢリムーバブルドライブ機器２００から読み出したＵＳＢリムーバブルドライブ機器固有情報２１０がドライブ割付情報１５０に未登録であった場合（ステップＳ００３／Ｎｏ）、又はドライブ割付情報１５０から引き当てられるＵＳＢインタフェース１０２に装着されたＵＳＢリムーバブルドライブ機器２００のＵＳＢリムーバブルドライブ機器固有情報２１０ｂに対応するドライブ番号がすでに使用中の場合は（ステップＳ００４／Ｎｏ）、制御部１０５は未使用のドライブ番号を検索する（ステップＳ０２０）。未使用のドライブ番号が複数ある場合には、制御部１０５は割り付け可能なドライブ番号の中で若番のドライブ番号を選択する。
【００３２】
未使用のドライブが検出された場合（ステップＳ０２１／Ｙｅｓ）、制御部１０５は、ドライブ割付固定化設定情報１６０を参照し、検出されたドライブ番号が任意のＵＳＢリムーバブルドライブ機器２００を装着可能なドライブ番号、すなわちそのドライブ番号に対しては特定のＵＳＢリムーバブルドライブ機器２００を固定的に割り付けない設定か否かを確認する（ステップＳ０２２）。ドライブ番号に任意のＵＳＢリムーバブルドライブ機器２００を割付可能な場合には（ステップＳ０２２／Ｎｏ）、検索された使用可能なドライブ番号を、ＵＳＢインタフェース１０２に装着されたＵＳＢリムーバブルドライブ機器２００に対して割り付け、処理を終了する（ステップＳ０４０）。
【００３３】
検索されたドライブ番号が、特定のＵＳＢリムーバブルドライブ機器２００を固定的に割り付ける設定のドライブ番号の場合には（ステップＳ０２２／Ｙｅｓ）、制御部１０５はドライブ割付情報１５０を参照し、そのドライブ番号に既に他のＵＳＢリムーバブルドライブ機器２００が割付済かを確認する（ステップＳ０２３）。検索されたドライブ番号に、ＵＳＢリムーバブルドライブ機器２００が未登録の場合には（ステップＳ０２３／Ｎｏ）、制御部１０５はＵＳＢインタフェース１０２に装着されたＵＳＢリムーバブルドライブ機器２００に対し検索されたドライブ番号を割り付ける（ステップＳ０５０）。さらに制御部１０５は、ドライブ割付情報１５０のうち、今回の処理で割り付けたドライブ番号に対して、今回ＵＳＢインタフェース１０２に装着されたＵＳＢリムーバブルドライブ機器２００のＵＳＢリムーバブルドライブ機器固有情報２１０を対応付け、ドライブ割付情報１５０を更新する（ステップＳ０５１）。
【００３４】
検索されたドライブ番号に対して既に他のＵＳＢリムーバブルドライブ機器固有情報２１０が割り付けられている場合には（ステップＳ０２３／Ｙｅｓ）、制御部１０５はそのドライブ番号は使用中であるとみなし、別の未使用のドライブ番号を検索する処理（ステップＳ０２０）に戻る。未使用のドライブ番号が見つからない場合には（ステップＳ０２１／Ｎｏ）、制御部１０５は、割付可能なドライブ番号が無い旨をタッチパネル付き表示画面１０４に表示して操作者に通知し（ステップＳ０３０）、ＵＳＢインタフェース１０２に装着したＵＳＢリムーバブルドライブ機器２００は無効とみなして処理を終了する（ステップＳ０３１）。
【００３５】
なお、ドライブ番号割り付け不可通知（ステップＳ０１０）、割付可能ドライブ番号無し通知（ステップＳ０３０）の通知方法は、プログラマブル表示器ではタッチパネル付き表示画面１０４に重畳して表示するダイアログ画面にメッセージを表示する方法が一般的と考えられるが、他に、外部制御装置５００が持つデバイスメモリ（情報を記憶する記憶領域）などに対して特定の値を書き込むことで通知する方法でも構わない。
【００３６】
ここで、使用可能なドライブ番号がＥ、Ｆ、Ｇ、Ｈであり、そのうち、ドライブ割付固定化設定情報１６０でＵＳＢリムーバブルドライブ機器２００を固定的に割り付けるドライブ番号をＥ、Ｇとし、ドライブ番号Ｆ、Ｈについては任意のＵＳＢリムーバブルドライブ機器２００を割付可能な設定としている場合を例に挙動を説明する。
【００３７】
まず、ドライブ割付情報１５０にＵＳＢリムーバブルドライブ機器固有情報２１０ｂが未登録の場合を考える。この状態で、ＵＳＢリムーバブルドライブ機器２００をＵＳＢインタフェース１０２に装着する。この時点で割付可能なドライブ番号のうち一番若番はＥドライブである。Ｅドライブは、ドライブ割付固定化設定情報１６０により、ＵＳＢリムーバブルドライブ機器２００を固定的に割り付けるドライブとして設定されている。ＵＳＢリムーバブルドライブ機器２００のＵＳＢリムーバブルドライブ機器固有情報２１０ｂは未登録のため、制御部１０５は、新たにＵＳＢインタフェース１０２に装着したＵＳＢリムーバブルドライブ機器２００のＵＳＢリムーバブルドライブ機器固有情報２１０をドライブ割付情報１５０に記録する。これにより、Ｅドライブを割り付けるＵＳＢリムーバブルドライブ機器２００が特定される。
【００３８】
Ｅドライブを割り付けたＵＳＢリムーバブルドライブ機器２００をＵＳＢインタフェース１０２に装着した状態で、別のＵＳＢリムーバブルドライブ機器２００を、別のＵＳＢインタフェース１０２に装着する場合を考える。この時点で割付可能なドライブ番号のうち一番若番はＦドライブである。Ｆドライブは、ドライブ割付固定化設定情報１６０により、任意のＵＳＢリムーバブルドライブ機器２００を割り付け可能なドライブとして設定されている。このため、制御部１０５は、ＵＳＢインタフェース１０２に新たに装着されたＵＳＢリムーバブルドライブ機器２００にＦドライブを割り付ける。このとき、制御部１０５はドライブ割付情報１５０には変更を加えない。
【００３９】
上記の手順によりＥドライブ、Ｆドライブが割り付けられたＵＳＢリムーバブルドライブ機器２００が装着済の状態で、さらに新たな別のＵＳＢリムーバブルドライブ機器２００をＵＳＢインタフェース１０２に装着する場合を考える。このとき、割付可能なドライブ番号のうち一番若番はＧドライブである。Ｇドライブは、ドライブ割付固定化設定情報１６０により、ＵＳＢリムーバブルドライブ機器２００を固定的に割り付けるドライブとして設定されている。しかし、新たにＵＳＢインタフェース１０２に装着したＵＳＢリムーバブルドライブ機器２００のＵＳＢリムーバブルドライブ機器固有情報２１０ｂは未登録であるため、制御部１０５は新たにＵＳＢインタフェース１０２に装着したＵＳＢリムーバブルドライブ機器２００のＵＳＢリムーバブルドライブ機器固有情報２１０をドライブ割付情報１５０に記録する。これによりＧドライブを割り付けるＵＳＢリムーバブルドライブ機器２００が特定される。
【００４０】
ここで、一旦すべてのＵＳＢリムーバブルドライブ機器２００をＵＳＢインタフェース１０２から取り外す。これにより、Ｅドライブ、Ｆドライブ、Ｇドライブも再利用可能となる。その後、再び直前に装着していたものとは別のＵＳＢリムーバブルドライブ機器２００をＵＳＢインタフェース１０２に装着することを考える。このとき、使用可能なドライブ番号のうち一番若番はＥドライブである。しかしながら、ドライブ割付情報１５０においてＥドライブは既に別のＵＳＢリムーバブルドライブ機器２００のＵＳＢリムーバブルドライブ機器固有情報２１０ｂが登録されているため、新たにＵＳＢインタフェース１０２に装着したＵＳＢリムーバブルドライブ機器２００を割り付けることはできない。従って、制御部１０５は、別の割付可能なドライブ番号を検索する。次に検索されるドライブ番号はＦドライブであり、Ｆドライブには任意のＵＳＢリムーバブルドライブ機器２００が割付可能である。このため、制御部１０５は、新たにＵＳＢインタフェース１０２に装着されたＵＳＢリムーバブルドライブ機器２００にＦドライブを割り付ける。
【００４１】
さらに、以前Ｇドライブとして割り付けられたＵＳＢリムーバブルドライブ機器２００をＵＳＢインタフェース１０２に装着する。このとき制御部１０５は、ＵＳＢインタフェース１０２に装着したＵＳＢリムーバブルドライブ機器２００が持つＵＳＢリムーバブルドライブ機器固有情報２１０と、ドライブ割付情報１５０に記録されたＵＳＢリムーバブルドライブ機器固有情報２１０ｂとを照合する。照合の結果、制御部１０５は、ドライブ割付情報１５０のうちＧドライブに対応するＵＳＢリムーバブルドライブ機器固有情報２１０ｂと合致することを認識する。この結果を受け、制御部１０５は、ＵＳＢインタフェース１０２に装着されたＵＳＢリムーバブルドライブ機器２００をＧドライブに割り付ける。
【００４２】
このように、制御部１０５は、ドライブ割付固定化設定情報１６０によってＵＳＢリムーバブルドライブ機器２００を固定的に割り付けると設定したドライブ番号に対しては、ドライブ割付情報１５０に登録済のＵＳＢリムーバブルドライブ機器２００については装着順によらず、以前装着したドライブ番号を割り付ける。一方、制御部１０５は、ドライブ割付情報１５０に未登録のＵＳＢリムーバブルドライブ機器２００については、ドライブ割付固定化設定情報１６０で任意のＵＳＢリムーバブルドライブ機器２００を割付可能としたドライブ番号を割り付ける。
【００４３】
なお、図２で示した手順では、ドライブ割付情報１５０に対して割り付けられたＵＳＢリムーバブルドライブ機器２００が無い場合（ステップＳ００３／Ｎｏの場合）において、ドライブ割付固定化設定情報１６０の設定内容によらず、制御部１０５がドライブ番号を若番から検索する方法（ステップＳ０２０〜Ｓ０２３）を示している。このため、プログラマブル表示器１００の初期状態においては、制御部１０５は、ドライブ割付固定化設定情報１６０でＵＳＢリムーバブルドライブ機器２００を固定的に割り付けるドライブ番号に対して、ＵＳＢリムーバブルドライブ機器２００を特定できるまで順にＵＳＢリムーバブルドライブ機器２００を装着していく必要が生じ、好ましくない場合も考えられる。こうした場合には、例えば、割付可能なドライブ番号の検索時（ステップＳ０２０実行時）に、制御部１０５は、ドライブ割付固定化設定情報１６０のうちＵＳＢリムーバブルドライブ機器２００を固定的に割り付けるとしたドライブ番号のうち、ドライブ割付情報１５０にＵＳＢリムーバブルドライブ機器２００が未登録のドライブ番号を先ず検索する、としてもよい。
【００４４】
また、ドライブ割付固定化設定情報１６０を設けず、割付可能な全てのドライブ番号に対し、固有のＵＳＢリムーバブルドライブ機器２００を割り付けるとすることも可能である。
【００４５】
以上のように、本実施の形態にかかるプログラマブル表示器は、不揮発性メモリに、ＵＳＢリムーバブルドライブ機器の個体に固有な情報であるＵＳＢリムーバブルドライブ機器固有情報と、ＵＳＢリムーバブルドライブ機器に対応するドライブ番号との対応付けを管理するドライブ割付情報を持ち、制御部はこれらの情報に基づいて、過去に装着されたＵＳＢリムーバブルドライブ機器に対するドライブ番号の割付を管理する。すなわち、プログラマブル表示器に装着したＵＳＢリムーバブルドライブ機器のＵＳＢリムーバブルドライブ機器固有情報と、ドライブ割付情報に含まれるＵＳＢリムーバブルドライブ機器固有情報との照合により引き当て、両方のＵＳＢリムーバブルドライブ機器固有情報が合致した場合には、制御部は既知のＵＳＢリムーバブルドライブ機器とみなし、ドライブ割付情報に記録されたドライブ番号を割り付ける。これにより、ＵＳＢリムーバブルドライブ機器の装着順に依存せずにドライブ番号の固定的な割付が可能となる。したがって、システム設計段階でユーザが使用するドライブ番号を特定することが必要とされる機器において、あらかじめドライブ番号を固定したシステム設計が可能となる。
【００４６】
また、本実施の形態にかかるプログラマブル表示器は、個々のドライブ番号に割り付けるリムーバブルドライブ機器を固定的とするか、任意のＵＳＢリムーバブルドライブ機器を割付可能とするかを管理するドライブ割付固定化情報を不揮発性メモリに持つことで、特定のドライブ番号に対してはＵＳＢリムーバブルドライブ機器の装着順に依存せずにドライブ番号の固定的な割付が可能となり、別のドライブ番号に対しては任意のＵＳＢリムーバブルドライブ機器の割付が可能となる。これにより、プログラマブル表示器に組み込んで使用するＵＳＢリムーバブルドライブ機器に対しては、ＵＳＢリムーバブルドライブ機器の個体に固有なドライブ番号を割り付ける一方、データの取り出し目的等の目的で一時的に装着するＵＳＢリムーバブルドライブ機器に対して、任意のドライブ番号を割り付けることができる。
【００４７】
実施の形態２．
図３は、本発明にかかる電子機器の実施の形態２としてのプログラマブル表示器の構成例を示すブロック図である。制御部１０５がドライブ割付情報編集部１０６及びドライブ割付固定化設定情報編集部１０９を有している点で実施の形態１と相違する。ドライブ割付情報編集部１０６は、ドライブ割付情報１５０による特定のＵＳＢリムーバブルドライブ機器２００とドライブ番号との対応付けを解除するドライブ割付解除部１０７と、ドライブ割付情報１５０によって特定のＵＳＢリムーバブルドライブ機器２００に対応付けられているドライブ番号を別のドライブ番号に変更するドライブ割付変更部１０８とを有する。この他については実施の形態１と同様である。
【００４８】
実施の形態２のプログラマブル表示器１００上で、ドライブ割付情報１５０及びドライブ割付固定化設定情報１６０を編集する際の操作及び処理について説明する。図４は、プログラマブル表示器１００において、ドライブ割付情報１５０及びドライブ割付固定化設定情報１６０を編集するドライブ管理画面６００の構成を示す図である。ドライブ管理画面６００は、ドライブ割付情報１５０及びドライブ割付固定化設定情報１６０を編集するためのＧＵＩとして制御部１０５がタッチパネル付き表示画面１０４に表示させる画面であり、プログラマブル表示器１００の設定を管理するユーティリティ画面の一つとして存在する。
【００４９】
ドライブ管理画面６００には、プログラマブル表示器１００にて使用可能なドライブ番号及びその詳細の一覧を表示するドライブ情報一覧表示領域６０１と、ドライブ番号に割り付けられたＵＳＢリムーバブルドライブ機器２００の割り付けを解除する割付解除ボタン６０２と、ＵＳＢリムーバブルドライブ機器２００に対するドライブ番号の割り付けを変更するドライブ割付変更ボタン６０３と、ドライブ管理画面６００の操作を終了する終了ボタン６０４とを備える。
【００５０】
ドライブ情報一覧表示領域６０１の各行には、利用可能なドライブ番号に関する情報が表示され、行をタッチ操作することで、その行が指し示すドライブ番号に対する操作が可能な選択状態とすることができる。
【００５１】
また、ドライブ情報一覧表示領域６０１には、そのドライブ番号に対応する装着済のＵＳＢリムーバブルドライブ機器２００の有無を示すＵＳＢリムーバブルドライブ機器装着有無表示領域６１０と、ドライブ番号を表示するドライブ番号表示領域６１１と、ドライブ割付固定化設定情報１６０の設定状態を表示するドライブ割付固定化設定状態表示領域６１２と、ＵＳＢリムーバブルドライブ機器固有情報２１０を表示するＵＳＢリムーバブルドライブ機器固有情報表示領域６１３とを備える。
【００５２】
ここで、ドライブ割付固定化設定情報１６０にて、Ｅドライブ、Ｇドライブに対してＵＳＢリムーバブルドライブ機器２００を固定的に割り付け、Ｆドライブ、Ｈドライブに対しては任意のＵＳＢリムーバブルドライブ機器２００を割り付け可能としている状態を想定する。このとき、既にＥドライブ、ＧドライブにはＵＳＢリムーバブルドライブ機器固有情報２１０ｂが割り付け済とする。さらに、Ｅドライブ、Ｆドライブには、ＵＳＢリムーバブルドライブ機器２００が装着中、Ｇドライブ、ＨドライブにはＵＳＢリムーバブルドライブ機器２００が未装着とする。
【００５３】
この状態から、Ｇドライブに割り付け済のＵＳＢリムーバブルドライブ機器固有情報２１０ｂの登録を解除し、Ｆドライブに装着されているＵＳＢリムーバブルドライブ機器２００を新たにＧドライブに固定的に割り付けるＵＳＢリムーバブルドライブ機器２００とする操作について説明する。
【００５４】
図５は、ドライブ割付情報１５０に割り付け済のＵＳＢリムーバブルドライブ機器固有情報２１０ｂを解除する手順を示す図である。図５を基にＧドライブに割り付け済のＵＳＢリムーバブルドライブ機器固有情報２１０ｂを解除する手順を説明する。操作者は、ドライブ管理画面６００のドライブ情報一覧表示領域６０１のうち、Ｇドライブの行をタッチすることでＧドライブを操作対象として選択状態にする（ステップＳ４０１）。次に、割り付け解除ボタン６０２をタッチする（ステップＳ４０２）。この操作の結果、ドライブ割付解除部１０７は、選択されたドライブ番号（ここではＧドライブ）に対応付けられたＵＳＢリムーバブルドライブ機器固有情報２１０ｂを、ドライブ割付情報１５０から削除する（ステップＳ４０３）。
【００５５】
図６は、プログラマブル表示器１００に装着済のＵＳＢリムーバブルドライブ機器２００に割り付けたドライブ番号を、別のドライブ番号に変更する際の処理の流れを示す図である。図６を基にＦドライブに割り付けられたＵＳＢリムーバブルドライブ機器２００を、Ｇドライブに変更する手順について説明する。操作者は、ドライブ管理画面６００のドライブ情報一覧表示領域６０１のうち、Ｆドライブの行をタッチすることでＦドライブを操作対象として選択状態にする（ステップＳ５０１）。次に、操作者はドライブ割付変更ボタン６０３をタッチする（ステップＳ５０２）。操作者はさらに、タッチパネル付き表示画面１０４にドライブ割付変更部１０８が表示させる変更後のドライブ番号を選択する画面において変更後のドライブ番号としてＧドライブを選択する（ステップＳ５０３）。この操作の後、ドライブ割付変更部１０８は変更元のドライブ番号が、ドライブ割付固定化設定情報１６０にて、ＵＳＢリムーバブルドライブ機器２００を固定的に割り付けるドライブ番号か否かを確認する（ステップＳ５０４）。
【００５６】
今回の例では、Ｆドライブはこれに該当しないため（ステップＳ５０４／Ｎｏ）、引き続き、ドライブ割付変更部１０８は、変更先のドライブ番号がＵＳＢリムーバブルドライブ機器２００を固定的に割り付けるドライブ番号か否かを確認する（ステップＳ５０６）。今回の例では、ＧドライブはＵＳＢリムーバブルドライブ機器２００を固定的に割り付けるドライブであるため（ステップＳ５０６／Ｙｅｓ）、ドライブ割付変更部１０８は、ドライブ割付情報１５０のうちＧドライブの情報に対し、元々Ｆドライブに割り付けられていたＵＳＢリムーバブルドライブ機器２００のＵＳＢリムーバブルドライブ機器固有情報２１０ｂを登録する（ステップＳ５０７）。さらに、ドライブ割付変更部１０８は、選択されたＵＳＢリムーバブルドライブ機器２００のドライブ番号をＦドライブからＧドライブに変更する（ステップＳ５０８）。
【００５７】
なお、ステップＳ５０４において、選択された変更元のドライブ番号がＵＳＢリムーバブルドライブ機器２００を固定的に割り付けるドライブであった場合には（ステップＳ５０４／Ｙｅｓ）、ドライブ割付変更部１０８はドライブ割付情報１５０のうち該当するドライブに登録されたＵＳＢリムーバブルドライブ機器固有情報２１０ｂを削除する（ステップＳ５０５）。
【００５８】
また、ステップＳ５０６において、選択された変更先のドライブ番号が、ＵＳＢリムーバブルドライブ機器２００を固定的に割り付けないドライブ番号であった場合には（ステップＳ５０６／Ｎｏ）、ドライブ割付変更部１０８はドライブ割付情報１５０の更新は実施せず、ドライブ番号の変更（ステップＳ５０８）のみを実施する。
【００５９】
なお、図６では省略しているが、操作の過程において、例えばドライブ番号割付変更の実施前など、適宜確認操作を挿入しても良い。
【００６０】
さらに、ドライブ割付固定化設定情報１６０をプログラマブル表示器１００で変更する操作について図７を用いて説明する。図７は、ドライブ割付固定化設定情報の変更時の処理の流れを示す図である。
【００６１】
ドライブ管理画面のドライブ情報一覧表示領域６０１のドライブ割付固定化設定状態表示領域６１２のうち、状態を変更したいドライブ番号に対する行をタッチする（ステップＳ６０１）。このタッチ操作ごとに、ドライブ割付固定化設定情報編集部１０９は、ＵＳＢリムーバブルドライブ機器２００を固定的に割り付ける／任意のＵＳＢリムーバブルドライブ機器２００を使用可能とする、の二つの設定状態を交互に切り替える。ＵＳＢリムーバブルドライブ機器２００を固定的に割り付ける対象であったドライブを、任意のＵＳＢリムーバブルドライブ機器２００で使用可能となるように変更した場合には（ステップＳ６０２／任意）、ドライブ割付解除部１０７は、ドライブ割付情報１５０のうち該当のドライブ番号に登録済のＵＳＢリムーバブルドライブ機器固有情報２１０ｂを削除する（ステップＳ６２０）。その後、処理を終了する。
【００６２】
逆に、任意のＵＳＢリムーバブルドライブ機器２００を使用可能なドライブ番号をＵＳＢリムーバブルドライブ機器２００に固定的に割り付ける設定に変更した場合（ステップＳ６０２／固定）、そのドライブ番号に既にＵＳＢリムーバブルドライブ機器２００が装着されているのであれば（ステップＳ６０３／装着中）、ドライブ割付変更部１０８は、そのＵＳＢリムーバブルドライブ機器２００のＵＳＢリムーバブルドライブ機器固有情報２１０ｂを、ドライブ割付情報１５０のうち該当するドライブ番号の情報に登録する（ステップＳ６１０）。ＵＳＢリムーバブルドライブ機器２００が未装着のドライブ番号に対する操作であった場合には（ステップＳ６０３／未装着）、ドライブ割付情報１５０は更新しない。その後、処理を終了する。
【００６３】
本実施の形態によれば、個々のドライブ番号に割り付けるＵＳＢリムーバブルドライブ機器を随時変更可能であるため、例えば、ＵＳＢリムーバブルドライブ機器の故障等の事情により、ＵＳＢリムーバブルドライブ機器の変更が余儀なくされた場合にも、新たなＵＳＢリムーバブルドライブ機器に対して従来使用していたドライブ番号を再割付し、使用することが可能となる。
【００６４】
また、プログラマブル表示器を含むシステムの運用に変更が生じ、ドライブ番号に対するＵＳＢリムーバブルドライブ機器の割付を固定的とするか否かに変更が必要となった場合でも、随時プログラマブル表示器上でドライブ割付固定化設定情報の変更が可能である。
【００６５】
上記の各実施の形態はプログラマブル表示器を例として説明したが、不揮発性メモリとＵＳＢインタフェースとを備えた電子機器であれば良く、本発明はプログラマブル表示器に限定されることはない。
【産業上の利用可能性】
【００６６】
以上のように、本発明にかかる電子機器は、装置の機能設計時点ではＵＳＢリムーバブルドライブ機器に対するドライブ番号を固定する必要があるプログラマブル表示器に代表される産業用の装置に適している。
【符号の説明】
【００６７】
１００  プログラマブル表示器
１０１  不揮発性メモリ
１０２  ＵＳＢインタフェース
１０３  通信インタフェース
１０４  タッチパネル付き表示画面
１０５  制御部
１０６  ドライブ割付情報編集部
１０７  ドライブ割付解除部
１０８  ドライブ割付変更部
１０９  ドライブ割付固定化設定情報編集部
１５０  ドライブ割付情報
１６０  ドライブ割付固定化設定情報
２００  ＵＳＢリムーバブルドライブ機器
２１０、２１０ｂ  ＵＳＢリムーバブルドライブ機器固有情報
５００  外部制御機器
６００  ドライブ管理画面
６０１  ドライブ情報一覧表示領域
６０２  割付解除ボタン
６０３  ドライブ割付変更ボタン
６０４  終了ボタン
６１１  ドライブ番号表示領域
６１２  ドライブ割付固定化設定状態表示領域
６１３  ＵＳＢリムーバブルドライブ機器固有情報表示領域
【図１】
2013018227.tif 000003
【図２】
2013018227.tif 000004
【図３】
2013018227.tif 000005
【図４】
2013018227.tif 000006
【図５】
2013018227.tif 000007
【図６】
2013018227.tif 000008
【図７】
2013018227.tif 000009
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
外部記憶媒体を読み書きするＵＳＢリムーバブルドライブ機器を複数接続可能であり、接続された前記ＵＳＢリムーバブルドライブ機器にドライブ番号を割り付けて管理する電子機器であって、
前記ＵＳＢリムーバブルドライブ機器が接続されるＵＳＢインタフェースと、
前記ＵＳＢリムーバブルドライブ機器に固有のＵＳＢリムーバブルドライブ機器固有情報と、前記ＵＳＢリムーバブルドライブ機器と前記ドライブ番号との対応を示すドライブ割付情報を記憶し、前記電子機器に内蔵される不揮発性メモリと、
前記ＵＳＢインタフェースに接続された前記ＵＳＢリムーバブルドライブ機器から取得した前記ＵＳＢリムーバブルドライブ機器固有情報と一致する情報が、前記不揮発性メモリに記憶した前記ドライブ割付情報に含まれる場合に、該ドライブ割付情報によって対応付けられている前記ドライブ番号を、前記ＵＳＢインタフェースに接続された前記ＵＳＢリムーバブルドライブ機器に割り付ける制御部と、
を備え、
前記不揮発性メモリは、前記ドライブ番号の各々について特定の前記ＵＳＢリムーバブルドライブ機器に固定的に割り付けるか否かを示すドライブ割付固定化設定情報をさらに記憶し、
前記制御部は、前記特定のＵＳＢリムーバブルドライブ機器に割り付けない設定が前記ドライブ割付固定化設定情報によってなされている前記ドライブ番号を、前記特定のＵＳＢリムーバブルドライブ機器以外のＵＳＢリムーバブルドライブ機器に前記ＵＳＢインタフェースに接続された順に割り付けることを特徴とする電子機器。
【請求項２】
前記制御部は、前記ドライブ割付固定化設定情報を変更するドライブ割付固定化設定情報編集部を有することを特徴とする請求項１に記載の電子機器。
【請求項３】
前記制御部は、
前記ドライブ割付情報によって前記特定のＵＳＢリムーバブルドライブ機器に対応付けられている前記ドライブ番号を、別のドライブ番号に変更するドライブ割付変更部と、前記ドライブ割付情報による前記特定のＵＳＢリムーバブルドライブ機器と前記ドライブ番号との対応付けを解除するドライブ割付解除部と、を有するドライブ割付情報編集部を備えることを特徴とする請求項１に記載の電子機器。
【請求項４】
外部制御機器との接続用の通信インタフェースと、
前記通信インタフェースを介して接続された前記外部制御機器の動作状態の表示及び該外部制御機器の設定操作の受付をするタッチパネル付き表示画面と、を備えたプログラマブル表示器であることを特徴とする請求項１から３のいずれか１項に記載の電子機器。
【手続補正２】
【補正対象書類名】明細書
【補正対象項目名】００１８
【補正方法】変更
【補正の内容】
【００１８】
上述した課題を解決し、目的を達成するために、本発明は、外部記憶媒体を読み書きするＵＳＢリムーバブルドライブ機器を複数接続可能であり、接続されたＵＳＢリムーバブルドライブ機器にドライブ番号を割り付けて管理する電子機器であって、ＵＳＢリムーバブルドライブ機器が接続されるＵＳＢインタフェースと、ＵＳＢリムーバブルドライブ機器に固有のＵＳＢリムーバブルドライブ機器固有情報と、ＵＳＢリムーバブルドライブ機器とドライブ番号との対応を示すドライブ割付情報を記憶し、電子機器に内蔵される不揮発性メモリと、ＵＳＢインタフェースに接続されたＵＳＢリムーバブルドライブ機器から取得したＵＳＢリムーバブルドライブ機器固有情報と一致する情報が、不揮発性メモリに記憶したドライブ割付情報に含まれる場合に、ドライブ割付情報によって対応付けられているドライブ番号を、ＵＳＢインタフェースに接続されたＵＳＢリムーバブルドライブ機器に割り付ける制御部と、を備え、不揮発性メモリは、ドライブ番号の各々について特定のＵＳＢリムーバブルドライブ機器に固定的に割り付けるか否かを示すドライブ割付固定化設定情報をさらに記憶し、制御部は、特定のＵＳＢリムーバブルドライブ機器に割り付けない設定がドライブ割付固定化設定情報によってなされているドライブ番号を、特定のＵＳＢリムーバブルドライブ機器以外のＵＳＢリムーバブルドライブ機器にＵＳＢインタフェースに接続された順に割り付けることを特徴とする。
【国際調査報告】
2013018227.tif 000010
2013018227.tif 000011